(57)【要約】      （修正有）【課題】引戸を閉扉若しくは開扉の最終位置まで確実に動かす引戸開閉補助装置を提供する。【解決手段】引戸Ｂの戸枠に取り付けられ、側縁戸枠に近づいた引戸Ｂに係合して捕捉する始端位置と、捕捉した引戸と共に動いて最終位置にする終端位置との間で移動可能な引戸捕捉装置１２及び引戸を捕捉した引戸捕捉装置を終端位置に動かす駆動装置１４とを有する。引戸捕捉装置１２は、被捕捉部材を受け入れて捕捉する捕捉部材２０と、捕捉部材と係合して該捕捉部材を該捕捉位置に固定する固定部材２４と、引戸が最終位置まで移動して最終位置から戻る方向で動くときに固定部材２４を固定解除位置に戻す固定解除装置２６を備える。【選択図】図１
2015121014.tif 000002
【特許請求の範囲】
【請求項１】
引戸の戸枠における上縁戸枠もしくは下縁戸枠に取り付けられ、閉扉若しくは開扉されて閉扉側若しくは開扉側の側縁戸枠に近づいた引戸に係合して捕捉する始端位置と、捕捉した引戸と共に動いて当該引戸を閉扉若しくは開扉の最終位置にする終端位置と、の間で引戸と共に移動可能な引戸捕捉装置と、
該引戸が該始端位置にある該引戸捕捉装置によって捕捉されたときに、該引戸捕捉装置を該終端位置に動かし、当該引戸を該最終位置にする駆動装置と、
を有する引戸開閉補助装置であって、
該引戸捕捉装置が、
該引戸に取り付けられている被捕捉部材を受け入れて捕捉するための捕捉部材であって、該被捕捉部材を受け入れる受入位置と、受け入れた該被捕捉部材を当該引戸捕捉装置から離脱しないように係合して捕捉する捕捉位置との間で変位可能とされた捕捉部材と、
該捕捉部材と係合して該捕捉部材を該捕捉位置に固定する固定位置と、該捕捉部材が該受入位置となるのを許容する固定解除位置との間で変位可能な固定部材とを有し、
該引戸捕捉装置が該始端位置にあるときに、該捕捉部材が該側縁戸枠に近づいてきた引戸の該被捕捉部材を受け入れて該捕捉位置となるとともに該固定部材が該捕捉部材を該捕捉位置に固定する該固定位置となり、この状態で当該引戸捕捉装置が該駆動装置により該始端位置から該終端位置まで動かされるようにされており、
当該引戸開閉補助装置が、
該引戸が該最終位置まで移動して該最終位置から戻る方向で動くときに該固定部材を該固定解除位置に戻す固定解除装置を備える、
引戸開閉補助装置。
【請求項２】
該引戸捕捉装置が該始端位置と終端位置との間で動くときに該引戸の開閉方向で並進可能な捕捉装置フレームを有し、該捕捉部材は該捕捉装置フレームに枢着されて該受入位置と該捕捉位置との間で枢動可能とされ、該捕捉位置から該受入位置に向けて付勢されており、受け入れる該被捕捉部材によって該捕捉位置となるようにされており、該固定部材が該捕捉装置フレームに枢着されて該固定位置と該固定解除位置との間で枢動可能とされ、該固定解除位置から該固定位置に向けて付勢されており、該捕捉部材が該被捕捉部材を受け入れて捕捉位置となることに応じて該固定位置とされるようになされている請求項１に記載の引戸開閉補助装置。
【請求項３】
該固定解除装置は、該捕捉装置フレームに枢着されて、カム従動子を有する固定解除部材と、
該捕捉装置フレームに設けら、該カム従動子と摺動係合し該カム従動子を介して該固定解除部材を枢動させるカム輪郭部であって、該引戸捕捉装置が終端位置に近づいた位置から該終端位置まで動くときは該固定解除部材を該固定位置にある該固定部材と連結させる固定解除準備位置とし、該引戸捕捉装置が該終端位置から始端位置に向かって動くときには該固定解除部材を該固定解除準備位置から固定解除完了位置まで枢動させて、該固定解除部材に連結した該固定部材を該固定解除位置に変位させるカム輪郭部とを有する請求項２に記載の引戸開閉補助装置。
【請求項４】
該引戸捕捉装置は、
該引戸が該最終位置から戻る方向へ動かされることにより該引戸捕捉装置が該終端位置から該始端位置まで動かされ、該引戸に取り付けられている該被捕捉部材が該捕捉部材から離れることにより該捕捉部材が該受入位置とされた状態において、該固定部材を該固定解除位置に変位させた該固定解除部材の該固定部材との連結を解除する連結解除部材を有する請求項３に記載の引戸開閉補助装置。
【請求項５】
該捕捉部材が該被捕捉部材を受け入れて該受入位置から該捕捉位置とされた状態において、該連結を解除された固定部材が該捕捉部材の外表面に形成された段面に係合して、該捕捉部材が受入位置に戻るのを阻止するようにされている請求項４に記載の引戸開閉補助装置。
【請求項６】
該連結を解除された固定部材は、該受入位置とされている該捕捉部材の外表面に向けて付勢され該外表面に係合し、該捕捉部材が該被捕捉部材を受け入れて該捕捉位置になることに伴い、該外表面上を摺動して該段面と係合するようにされている請求項５に記載の引戸開閉補助装置。
【請求項７】
該固定解除部材は、該固定解除部材に変位可能に取り付けられ、該固定解除部材と共に枢動可能とされている連結部材を備え、該連結部材は、該固定解除部材が該固定解除準備位置に向けて変位するときには該固定位置にある固定部材と摺動し、該固定解除部材が該固定解除準備位置になったときに当該固定解除部材を該固定部材に連結する位置に変位するように付勢されており、該固定解除部材が該固定解除準備位置から該固定解除完了位置に枢動するときに、該固定部材を該固定解除部材に連結した状態で該固定解除位置まで動かすようになっており、
該連結解除部材は、該連結部材を付勢する力に抗して該連結部材を変位することにより該固定解除部材の該固定部材との連結を解除するようにされている請求項４乃至６のいずれか一項に記載の引戸開閉補助装置。
【請求項８】
該連結解除部材が、該捕捉装置フレームに枢着されており、該捕捉部材が該受入位置にあるときに該連結部材を付勢する力に抗して該連結部材を変位することにより該固定解除部材の該固定部材との連結を解除するようにされ、該捕捉部材が該受入位置から該捕捉位置に動くのに伴い枢動して、該連結部材が該固定部材と摺動係合する位置となるのを許容するようになされている請求項７に記載の引戸開閉補助装置。
【請求項９】
該連結解除部材が、該捕捉部材と同じ枢軸の周りで枢動可能に該捕捉装置フレームに取り付けられており、該捕捉部材が該受入位置において該被捕捉部材を受け入れて捕捉位置となるときに、該被捕捉部材によって係合されて該連結部材から離れて該連結部材が該固定部材と摺動係合する位置となるのを許容するようになされている請求項８に記載の引戸開閉補助装置。
【請求項１０】
該駆動装置は、一端が該引戸捕捉装置よりも該側縁戸枠側において該上縁戸枠に固定され、他端が該捕捉部材に取り付けられたバネ部材とされ、
該バネ部材は、該捕捉部材を介して該引戸捕捉装置を該側縁戸枠に向けて付勢するとともに、該捕捉部材を該捕捉位置から該受入位置にむけて付勢するようになされている請求項１乃至９のいずれか一項に記載の引戸開閉補助装置。
【請求項１１】
該引戸捕捉装置が、該始端位置から該終端位置に向かうときに該引戸捕捉装置の動きに対して制動力をかけるダンパーに接続されている請求項１０に記載の引戸開閉補助装置。
【発明の詳細な説明】
【技術分野】
【０００１】
本発明は、引戸が開扉又は閉扉されて開扉又は閉扉の最終位置に近づいたときに、該引戸を捕捉して該最終位置まで動かして開扉又は閉扉を確実にする引戸開閉補助装置に関する。
【背景技術】
【０００２】
引戸の上縁戸枠に引戸の開閉方向で摺動可能に設けられたスライドと、該スライドに枢着されて、閉扉されて閉扉側戸枠に近づいた引戸に取り付けられたピンを受け入れて捕捉するフックと、ピンをフックにより捕捉した状態で当該スライドを閉扉側戸枠に向けて動かし、当該引戸を閉扉側戸枠に当接させて当該引戸の閉扉を完了させるバネ部材と、閉扉側戸枠に向かう引戸の動きに制動を加えるダンパー（減速器）とを備える機構（ドアクローザ）が知られている（例えば、特許文献１参照）。この機構は、引戸を閉扉側戸枠近くまで動かすだけで当該引戸を確実に閉扉させるものであるが、この機構を開扉側戸枠の近くに設けて、開扉される引戸を捕捉し確実に開扉させるために用いることもできるものである。本明細書においては、このように開扉でも閉扉でもそれを確実にするために使用される装置という意味で、引戸開閉補助装置と称することにする。
【０００３】
引戸開閉補助装置は以上のような機能を有するものであるが、引戸を勢いよく開閉させた場合には、ダンパーによる制動が急激に作用し、その作用で当該引戸が跳ね返されることがある。このような跳ね返りが生じて、上記ピンがフックによって受け入れられた位置まで引戸が戻ると、該ピンを捕捉したフックはピンを解放する位置に戻され、このため該引戸はそのまま元の方向に戻されて適正な開閉が行われなくなる可能性があった。
【先行技術文献】
【特許文献】
【０００４】
【特許文献１】特開２００４‐３３２３０８号
【発明の概要】
【発明が解決しようとする課題】
【０００５】
本発明は、このような引戸開閉補助装置における上述のような問題を解消することを目的とする。すなわち、引戸が激しく開閉されて引戸開閉補助装置におけるダンパーが急激に作用し、その結果、当該引戸が跳ね返されるようなことがあったとしても、引戸の捕捉が解除されるようなことはなく、従って、最終的には捕捉した引戸を閉扉若しくは開扉の最終位置まで確実に動かすことを可能とする引戸開閉補助装置を提供することを目的としている。
【課題を解決するための手段】
【０００６】
すなわち、本発明は
引戸（以下に述べる本発明の実施形態において参照符号Ｂで示す）の戸枠における上縁戸枠（Ａ）もしくは下縁戸枠に取り付けられ、閉扉若しくは開扉されて閉扉側若しくは開扉側の側縁戸枠に近づいた引戸（Ｂ）に係合して捕捉する始端位置（図１）と、捕捉した引戸と共に動いて当該引戸を閉扉若しくは開扉の最終位置にする終端位置（図２）と、の間で引戸と共に移動可能な引戸捕捉装置（１２）と、
該引戸が該始端位置にある該引戸捕捉装置によって捕捉されたときに、該引戸捕捉装置を該終端位置に動かし、当該引戸を該最終位置にする駆動装置（同実施形態における引っ張りコイルバネ１４）と、
を有する引戸開閉補助装置（１０）であって、
該引戸捕捉装置（１２）が、
該引戸に取り付けられている被捕捉部材（ピン１８）を受け入れて捕捉するための捕捉部材（フック２０）であって、該被捕捉部材を受け入れる受入位置（図３〜図５）と、受け入れた該被捕捉部材を当該引戸捕捉装置から離脱しないように係合して捕捉する捕捉位置（図６〜図９）との間で変位可能とされた捕捉部材（２０）と、
該捕捉部材と係合して該捕捉部材を該捕捉位置に固定する固定位置（図６〜図８）と、該捕捉部材が該受入位置となるのを許容する固定解除位置（図９〜図１１）との間で変位可能な固定部材（２４）とを有し、
該引戸捕捉装置が該始端位置（図１）にあるときに、該捕捉部材（２０）が該側縁戸枠に近づいてきた引戸の該被捕捉部材（１８）を受け入れて該捕捉位置となるとともに該固定部材（２４）が該捕捉部材を該捕捉位置に固定する該固定位置（図６〜図８）となり、この状態で当該引戸捕捉装置が該駆動装置（１４）により該始端位置（図１）から該終端位置（図２）まで動かされるようにされており、
当該引戸開閉補助装置が、更に、
該引戸が該最終位置まで移動して該最終位置から戻る方向で動くときに該固定部材（２４）を該固定解除位置（図９〜図１１）に戻す固定解除装置（２６）を備える、
引戸開閉補助装置を提供する。
【０００７】
この引戸開閉補助装置においては、捕捉部材を捕捉位置に固定する固定位置にある固定部材を該固定解除位置にする固定解除装置は、引戸が閉扉又は開扉の最終位置まで移動して当該引戸が該最終位置から戻る方向で動くときに作用するものであり、引戸が最終位置になるまでは、捕捉部材による引戸の被捕捉部材の捕捉は解除されず、従って、引戸が前述したようにダンパーによって最終位置に至る前に戻される方向に動いても、従来の引戸開閉補助装置のように引戸が当該引戸捕捉装置から外れてしまうことがなく、このため、そのような途中での戻りの動きがあったとしても最終的には引戸は側縁戸枠まで確実に動かされることになる。
【０００８】
具体的には、
該引戸捕捉装置（１２）が該始端位置と終端位置との間で動くときに該引戸の開閉方向で並進可能な捕捉装置フレーム（１７）を有し、該捕捉部材（２０）は該捕捉装置フレームに枢着されて該受入位置と該捕捉位置との間で枢動可能とされ、該捕捉位置から該受入位置に向けて付勢されており、受け入れる該被捕捉部材によって該捕捉位置となるようにされており、該固定部材（２４）が該捕捉装置フレームに枢着されて該固定位置と該固定解除位置との間で枢動可能とされ、該固定解除位置から該固定位置に向けて付勢されており、該捕捉部材（２０）が該被捕捉部材を受け入れて捕捉位置となることに応じて該固定位置とされるようにすることができる。
【０００９】
該固定解除装置（２６）は、  
該捕捉装置フレーム（１７）に枢着されて、カム従動子（２６Ａ）を有する固定解除部材（２６Ｂ）と、
該捕捉装置フレームに設けられ、該カム従動子と摺動係合し該カム従動子を介して該固定解除部材（２６Ｂ）を枢動させるカム輪郭部（２６Ｃ）であって、該引戸捕捉装置が終端位置に近づいた位置から該終端位置まで動くときは該固定解除部材（２６Ｂ）を該固定位置にある該固定部材（２４）と連結させる固定解除準備位置（図８）とし、該引戸捕捉装置が該終端位置から始端位置に向かって動くときには該固定解除部材を該固定解除準備位置（図８）から固定解除完了位置（図９）まで枢動させて、該固定解除部材に連結した該固定部材を該固定解除位置（図９〜図１１）に変位させるカム輪郭部（２６Ｃ）とを有するようにすることができる。
【００１０】
この場合、該引戸捕捉装置は、
該引戸が該最終位置から戻る方向へ動かされることにより該引戸捕捉装置が該終端位置から該始端位置まで動かされ、該引戸に取り付けられている該被捕捉部材が該捕捉部材から離れることにより該捕捉部材が該受入位置とされた状態において、該固定部材（２４）を該固定解除位置（図９〜図１１）に変位させた該固定解除部材（２６Ｂ）の該固定部材（２４）との連結を解除する連結解除部材（３０）を有するようにすることができる。
【００１１】
この場合、該捕捉部材が該被捕捉部材を受け入れて該受入位置から該捕捉位置とされた状態において、該連結を解除された該固定部材が該捕捉部材の外表面に形成された段面（２０Ｂ）に係合して、該捕捉部材が受入位置に戻るのを阻止するようにすることができる。
【００１２】
更にこの場合、該連結を解除された固定部材（２４）は、該受入位置とされている該捕捉部材の外表面に向けて付勢され該外表面に係合し、該捕捉部材（２０）が該被捕捉部材を受け入れて該捕捉位置になることに伴い、該外表面上を摺動して該段面（２０Ｂ）と係合するようにすることができる。
【００１３】
上記の場合において、該固定解除部材（２６Ｂ）は、該固定解除部材に変位可能に取り付けられ、該固定解除部材と共に枢動可能とされている連結部材（２６Ｄ）を備え、該連結部材は、該固定解除部材が該固定解除準備位置（図８）に向けて変位するときには該固定位置にある固定部材（２４）と摺動し、該固定解除部材（２６Ｂ）が該固定解除準備位置（図８）になったときに当該固定解除部材（２６Ｂ）を該固定部材（２４）に連結する位置に変位するように付勢されており、該固定解除部材が該固定解除準備位置から該固定解除完了位置（図９）に枢動するときに、該固定部材を該固定解除部材に連結した状態で該固定解除位置（図９）まで動かすようになっており、
該連結解除部材（３０）は、該連結部材（２６Ｄ）を付勢する力に抗して該連結部材を変位することにより該固定解除部材の該固定部材（２４）との連結を解除するようにすることができる。
【００１４】
この場合、該連結解除部材（３０）が、該捕捉装置フレームに枢着されており、該捕捉部材が該受入位置にあるときに該連結部材（２６Ｄ）を付勢する力に抗して該連結部材（２６Ｄ）を変位することにより該固定解除部材（２６Ｂ）の該固定部材（２４）との連結を解除するようにされ、該捕捉部材が該受入位置から該捕捉位置に動くのに伴い枢動して、該連結部材（２６Ｄ）が該固定部材（２４）と摺動係合する位置となるのを許容するようにすることができる。
【００１５】
この場合、該連結解除部材（３０）が、該捕捉部材と同じ枢軸（１７Ａ）の周りで枢動可能に該捕捉装置フレームに取り付けられ、該捕捉部材が該受入位置において該被捕捉部材を受け入れて捕捉位置となるときに、該被捕捉部材によって係合されて該連結部材（２６Ｄ）から離れて該連結部材（２６Ｄ）が該固定部材（２４）と摺動係合する位置となるのを許容するようにすることができる。
【００１６】
以上の場合において、該駆動装置（１４）は、一端が該引戸捕捉装置よりも該側縁戸枠側において該上縁戸枠に固定され、他端が該捕捉部材に取り付けられたバネ部材とされ、
該バネ部材は、該捕捉部材（２０）を介して該引戸捕捉装置（１２）を該側縁戸枠に向けて付勢するとともに、該捕捉部材（２０）を該捕捉位置から該受入位置にむけて付勢するようにすることができる。
【００１７】
該引戸捕捉装置は、該始端位置から該終端位置に向かうときに該引戸捕捉装置の動きに対して制動力をかけるダンパー（３２）に接続することができる。
【００１８】
以下、本発明に係る実施形態につき添付図面に基づき説明する。
【図面の簡単な説明】
【００１９】
【図１】本発明に係る引戸開閉補助装置が引戸戸枠の上縁戸枠に取り付けられた状態を示しており、引戸が閉扉又は開扉されて右側の閉扉側又は開扉側戸枠である側縁戸枠に近づいてきて、当該引戸開閉補助装置に接近している状態を示している。
【図２】図１と同様の図であり、引戸が引戸開閉補助装置によって捕捉されて引戸が閉扉又は開扉の最終位置された状態を示す図である。
【図３】図１の引戸開閉補助装置の引戸捕捉装置が引戸の被捕捉部材を受け入れる態勢にある状態を示す図である。
【図４】被捕捉部材が引戸捕捉装置の連結解除部材に当接して該連結解除部材を反時計方向に枢動はじめる状態を示す図である。
【図５】連結解除部材が固定解除部材の連結部材から離れ、捕捉部材が被捕捉部材によって反時計方向に枢動はじめられる状態を示す図である。
【図６】捕捉部材が捕捉位置となり、固定部材が捕捉部材を捕捉位置に固定する位置となった状態を示す図である。
【図７】引戸が閉扉又は開扉の最終位置に近づいたときの引戸捕捉装置を示す図である。
【図８】引戸が閉扉又は開扉の最終位置となり、固定解除部材が固定部材に連結された固定解除準備位置となった状態を示す図である。
【図９】引戸が最終位置から戻り始めて固定解除部材が固定解除完了位置となり、固定部材が固定解除位置とされた状態を示す図である。
【図１０】引戸捕捉装置が始端位置に近づき引戸の被捕捉部材が捕捉部材から抜け出しはじめた状態を示す図である。
【図１１】被捕捉部材が捕捉部材から抜けて連結解除部材が固定解除部材の連結部材と係合して連結解除位置となり、固定部材が捕捉部材と係合する状態となったのを示す図である。
【図１２】固定解除部材の連結部材を示す図であり、（Ａ）は正面図、（Ｂ）は側面図である。
【図１３】固定部材を示す図であり、（Ａ）は正面図、（Ｂ）は側面図である。
【図１４】固定解除部材を示す図であり、（Ａ）は正面図、（Ｂ）は側面図である。
【図１５】オイルダンパー保持部材の正面図である。
【図１６】図１の左端面の概要図であり、本発明に係る引戸開閉補助装置が上縁戸枠に取り付けられている状態を示す。
【図１７】オイルダンパー保持部材及びそれに取り付けられているオイルダンパーの概要を示す図である。
【発明を実施するための形態】
【００２０】
図１に示す本発明に係る引戸開閉補助装置１０は、引戸戸枠の上縁戸枠Ａに引戸Ｂの開閉方向Ｘで移動可能に取り付けられて、引戸Ｂが側縁戸枠Ｃに近づいてきたときに該引戸Ｂを捕捉する引戸捕捉装置１２と、引戸Ｂを捕捉した引戸捕捉装置１２を側縁戸枠Ｃ側に引き寄せ、図２に示すように、当該引戸Ｂを側縁戸枠Ｃに当接若しくはそれに近い最終位置となるようにする駆動装置（図示の例では引っ張りコイルバネ）１４とを有する。引戸捕捉装置１２は、上縁戸枠Ａに開閉方向Ｘに延びるようにして固定される（後述する）オイルダンパー保持部材１６（図１、２、図１５〜図１７）に開閉方向Ｘで摺動可能に取り付けられ、（図１では右方向に動かされて当該引戸捕捉装置１２に近づいてきた）引戸Ｂを捕捉するための始端位置（図１）と、捕捉した引戸Ｂと共に動いて該引戸Ｂが側縁戸枠Ｃに当接した又はそれに近い閉扉又は開扉の図２に示す最終位置となる終端位置（図２）との間で引戸Ｂと共に移動可能とされている。引戸Ｂは、その上縁に取り付けられたハンガー部材Ｂ１と該ハンガー部材Ｂ１に回転自在に取り付けられて上縁戸枠Ａに引戸Ｂの開閉方向Ｘに延びるよう設定されているレールＡ１上で転動するようにされたローラＢ２とを有しており、当該引戸ＢはレールＡ１に吊り下げられてレールＡ１に沿って動くようにされている。図１及び図２において、Ａ２で示すのは、引戸Ｂが図２の最終位置に来たときにハンガー部材Ｂ１に当接して引戸Ｂを止めるためのストッパである。これらハンガー部材Ｂ１、レールＡ１、ストッパＡ２等は当業者にはよく知られたものであり、詳細な説明は省略する。
【００２１】
引戸捕捉装置１２は、オイルダンパー保持部材１６に引戸Ｂの開閉方向Ｘに並進可能に設定された捕捉装置フレーム１７と、枢軸１７Ａにより捕捉装置フレーム１７に枢着されたフックすなわち捕捉部材２０であって、引戸Ｂに取り付けられている被捕捉部材（図示の例では、ハンガー部材Ｂ１に開閉方向Ｘに対し直交するように延びるピン）１８を、引戸Ｂが側縁戸枠Ｃに近づいてきたときに受け入れる受入位置（図３〜図５）と、受け入れた被捕捉部材（ピン）１８を当該引戸捕捉装置１２から離脱しないように係合して捕捉する捕捉位置（図６〜図９）との間で枢動可能とされた捕捉部材（フック）２０と、枢軸１７Ｂ（図３）により捕捉装置フレーム１７に枢着され、捕捉部材２０と係合して捕捉部材２０を捕捉位置（図６〜図９）に固定する固定位置（図６〜図８）と、捕捉部材（フック）２０が受入位置（図３〜図５）となるのを許容する固定解除位置（図９〜図１１）との間で変位可能な固定ピン２２を備える固定部材２４（図１３）とを有しており、引戸捕捉装置１２が始端位置（図１）にあるときに、捕捉部材（フック）２０は被捕捉部材（ピン）１８を受け入れて捕捉位置（図６）となるとともに固定ピン２２が固定位置（図６）となって捕捉部材２０を捕捉位置（図６〜図８）に固定し、この状態で当該引戸捕捉装置１２が捕捉部材（フック）２０を介して駆動装置（引っ張りコイルバネ）１４により始動位置（図１）から終端位置（図２）まで動かされ、それにより捕捉した引戸Ｂを閉扉又は開扉の最終位置（図２）まで動かすようにされている。
【００２２】
引戸開閉補助装置１０は、更に、引戸Ｂが最終位置（図２）まで移動して該最終位置から戻る方向で動くときに、該引戸Ｂとともに終端位置（図２、図８）から始端位置（図１、図３）に向って動く上述の引戸捕捉装置１２の固定部材２４を固定位置（図６〜図８）から固定解除位置（図９〜図１１）に戻すための固定解除装置２６を備える。具体的には、該固定解除装置２６は、枢軸１７Ｂにより捕捉装置フレーム１７に枢着されて、カム従動子２６Ａを有する固定解除部材２６Ｂ（図１４）と、捕捉装置フレーム１７に設けられ、カム従動子２６Ａと摺動係合しカム従動子２６Ａを介して固定解除部材２６Ｂを枢動させるカム輪郭部２６Ｃから構成されている。カム輪郭部２６Ｃは、引戸捕捉装置１２が始端位置（図１、図３）から動いて終端位置（図２、図８）に近づいた位置（図７）から終端位置（図２、図８）まで動いたときには固定解除部材２６Ｂを固定位置（図６〜図８）にある固定部材２４と連結させる固定解除準備位置（図８）とし、引戸捕捉装置１２が終端位置（図２、図８）から始端位置（図１、図３）に向かって動くときには固定解除部材２６Ｂを固定解除準備位置（図８）から固定解除完了位置（図９）まで枢動させて、固定解除部材２６Ｂに連結した固定部材２４を固定解除位置（図９〜図１１）に変位させるような輪郭を有する。図の例では、固定解除部材２６Ｂは、枢軸１７Ｂから下方に延びてカム従動子２６Ａを支持する固定解除部材下部２６Ｂ１と、枢軸１７Ｂから上方に延びる固定解除部材上部２６Ｂ２とを有し、固定解除部材上部２６Ｂ２には、当該固定解除部材２６Ｂが固定解除準備位置（図８）とされたときに固定部材２４との連結を行うための連結部材２６Ｄ（図１２）が設けられている。この連結部材２６Ｄは、図１２に示すように上部係合部２６Ｄ１、下部係合部２６Ｄ２、及びそれらを連結する連結部２６Ｄ３とからなり、該連結部材２６Ｄは、固定解除部材上部２６Ｂ２の上縁部分を水平に折り曲げて形成された連結部材支持部２６Ｂ３の開口２６Ｂ４に、連結部２６Ｄ３を通すようにして、該連結部材支持部２６Ｂ３に支持されており、固定解除部材上部２６Ｂ２に取り付けた圧縮コイルバネ２６Ｂ５によって図で見て左方に付勢されている。図３において、２６Ｂ６で示すのは、圧縮コイルバネ２６Ｂ５を連結部材２６Ｄに水平に保持するためのネジである。詳細は後で述べるが、固定解除部材２６Ｂが固定解除準備位置（図８）とされたときに、固定部材２４の上縁板部２４Ａ（図１３）が連結部材支持部２６Ｂ３の下面と接するようにされ、上縁板部２４Ａの開口２４Ｂを連結部２６Ｄ３が通り、下部係合部２６Ｄ２が上縁板部２４Ａの下面と接するようになり、固定解除部材２６Ｂが固定解除準備位置（図８）から固定解除完了位置（図９）に動くときに、固定部材２４を固定解除部材２６Ｂに連結した状態として固定部材２４を固定解除位置に動かすようになっている。
【００２３】
本発明に係る引戸開閉補助装置１０は、更に、引戸Ｂが最終位置（図２、図８）から戻る方向へ動かされることにより引戸捕捉装置１２が終端位置（図２、図８）から始端位置（図１１）まで動かされ、引戸Ｂに取り付けられている被捕捉部材（ピン）１８が捕捉部材２０から離れることにより捕捉部材２０が受入位置（図１１）とされた状態において、固定部材２４を固定解除位置（図９）に変位させた固定解除部材２６Ｂの固定部材２４との連結を解除するために、枢軸１７Ａの周りで枢動可能とされている連結解除部材３０を有する。連結解除部材３０は、枢軸１７Ａの周りに取り付けられた捩じりバネ３１により図で見て時計方向に付勢されており、捕捉部材（フック）２０に受け入れられて捕捉される被捕捉部材（ピン）１８が係合することにより、反時計方向に枢動されるようになっている。連結解除部材３０は、引戸Ｂが最終位置（図２、図８）となり、固定解除部材２６Ｂが固定解除準備位置（図８）となったときには、捕捉部材２０によって捕捉されている被捕捉部材１８によって枢軸１７Ａの周りで捩じりバネ３１の付勢力に抗して反時計方向に回されて固定解除部材２６Ｂから離れた位置とされ、上述のように、連結部材２６Ｄが圧縮コイルバネ２６Ｂ５によって押圧されて、連結部材２６Ｄの下部係合部２６Ｄ２と連結部材支持部２６Ｂ３との間で挟んで当該固定部材２４（の上縁板部２４Ａ）を固定解除部材２６Ｂに連結した状態とされている。この状態から、引戸Ｂが最終位置（図２、図８）から戻されて引戸捕捉装置１２が始端位置（図１１）まで動かされると、引戸Ｂに取り付けられていた被捕捉部材（ピン）１８は捕捉部材２０から離れて当該捕捉部材２０が受入位置とされ、それと共に連結解除部材３０は被捕捉部材１８との係合が外れて捩じりバネ３１により時計方向に枢動され、連結部材２６Ｄの下部係合部２６Ｄ２の左側端部２６Ｄ４と係合して連結部材２６Ｄを圧縮コイルバネ２６Ｂ５の付勢力に抗して右方へ動かす。これにより、連結部材２６Ｄの下部係合部２６Ｄ２と連結部材支持部２６Ｂ３との間での当該固定部材２４（の上縁板部２４Ａ）の固定解除部材２６Ｂとの連結は解除される。
【００２４】
固定解除部材２６Ｂと固定部材２４との連結が上述のようにして解除された状態では、連結部材２６Ｄの下部係合部２６Ｄ２の左側端部２６Ｄ４が固定部材２４の上縁板部２４Ａの開口２４Ｂの開口縁面２４Ｃと摺動可能な状態で係合する。このため、枢軸１７Ｂの周りに取り付けられている捩じりバネ２８により固定部材２４は連結部材２６Ｄと摺動しながら僅かに反時計方向に変位されて固定ピン２２が、受入位置（図３）に戻った捕捉部材２０の外表面と係合するようにされる。これにより、当該引戸開閉補助装置１０は図１に示す当初の状態となる。
【００２５】
図示の例では、駆動装置としての引っ張りコイルバネ１４は、オイルダンパー保持部材１６の右端に一端が固定され、他端が捕捉部材（フック）２０に設けられている孔２０Ｄ（図５）に係合されて、捕捉部材２０を介して当該引戸捕捉装置１２を始端位置（図１、図３）から終端位置（図２、図８）に向けて付勢するとともに、捕捉部材２０を枢軸１７Ａの周りで時計方向に付勢しており、引戸捕捉装置１２が始端位置（図１）にあるときには、捕捉部材２０に設けたガイドピン２０Ｃが前述のカム輪郭部２６Ｃの前方延長部分に係合して、捕捉部材２０を受入位置（図１、図３）に保持するようにしている。捕捉部材２０が受入位置（図１、図３）にあるときには、上述のように、捩じりバネ２８によって枢軸１７Ｂを軸として反時計回りに付勢されている固定部材２４の固定ピン２２が捕捉部材２０の外表面２０Ａに係合して図１及び図３に示す位置に保持されるが、捕捉部材２０が被捕捉部材（ピン）１８を受け入れて捕捉位置（図６）に枢動されるのに伴い、固定ピン２２が段面２０Ｂと係合して捕捉部材２０が枢軸１７Ａの周りで時計方向に回動されて捕捉位置（図６）から受入位置（図３）に戻るのを阻止するようになっている。
【００２６】
本発明に係る引戸開閉補助装置１０の主要な構成は以上に説明したとおりであるが、図１６には、この引戸開閉補助装置１０の引戸捕捉装置１２を開閉方向Ｘで変位可能に支持する支持構造の一実施形態が示されている。この実施形態では、引戸捕捉装置１２は、それが始端位置（図１、図３）から終端位置（図２、図８）に向かって動かされるときに制動力をかけるオイルダンパー３２を保持するオイルダンパー保持部材１６の側面に支持されるようになっている。オイルダンパー保持部材１６は、全体としては下向きのコ字状とされた横断面を有し、上縁戸枠部材Ａ３にネジ３３Ａにより固定されている（レールＡ１を備える）レール部材Ａ４にネジ３３Ｂにより固定されており、オイルダンパー３２を包むようにして保持している。オイルダンパー３２は、一般的に知られているものであり詳細な説明は省略するが、図１７に示すように、オイルダンパー保持体１６内に固定されたシリンダー３２Ａと、シリンダー３２Ａを貫通して両端がシリンダー３２Ａの両端から外部に延びるピストンロッド３２Ｂとを有し、ピストンロッド３２Ｂにはシリンダー３２Ａ内で摺動可能とされたピストン３２Ｃが取り付けられている。
【００２７】
図１６に示すように、オイルダンパー保持部材１６の図で見て右側壁１６Ａには、それを挟むようにして内側板状部材３４及び外側板状部材３６が設定され、更に、外側板状部材３６の外側に該外側板状部材３６に平行に設定された第２の外側板状部材３８が設けられており、外側板状部材３６及び第２の外側板状部材３８が、引戸捕捉装置１２の構成要素である捕捉部材（フック）２０、固定部材２４、固定解除部材２６Ｂ等を支持する捕捉装置フレーム１７を構成している。内側板状部材３４、外側板状部材３６及び第２の外側板状部材３８はネジ４０等の適宜の結合部材により相互に間隔を開けた状態で固定されて、内側板状部材３４は、オイルダンパー３２のピストンロッド３２Ｂの左端に連結板４４によって連結されており、該引戸捕捉装置１２が始端位置から終端位置に動くときに制動がかけられるようになっている。
【００２８】
以上、本発明の引戸開閉補助装置１０の実施形態につき説明したが、本発明はこの実施形態に限定されるものではなく種々の変形が可能である。例えば、連結解除部材３０は、捕捉部材２０が捕捉位置から受入位置に戻ったときに連結部材２６Ｄにより固定部材２４と固定解除部材２６Ｂとの連結を解除するものであればよく、枢軸１７Ａに枢着させる必要はない。
【符号の説明】
【００２９】
上縁戸枠Ａ；レールＡ１；ストッパＡ２；上縁戸枠部材Ａ３；レール部材Ａ４；引戸Ｂ；ハンガー部材Ｂ１；ローラＢ２；開閉方向Ｘ；側縁戸枠Ｃ；引戸開閉補助装置１０；引戸捕捉装置１２；駆動装置（引っ張りコイルバネ）１４；オイルダンパー保持部材１６；右側壁１６Ａ；捕捉装置フレーム１７；捕捉部材２０；被捕捉部材（ピン）１８；捕捉部材（フック）２０；第１の段面２０Ａ；第２の段面２０Ｂ：ガイドピン２０Ｃ；固定ピン２２；固定部材２４；上縁板部２４Ａ；開口２４Ｂ；開口縁面２４Ｃ；固定解除装置２６；カム従動子２６Ａ；固定解除部材２６Ｂ；固定解除部材下部２６Ｂ１；固定解除部材上部２６Ｂ２；連結部材支持部２６Ｂ３；開口２６Ｂ４；圧縮コイルバネ２６Ｂ５；ネジ２６Ｂ６；カム輪郭部２６Ｃ；連結部材２６Ｄ；上部係合部２６Ｄ１；下部係合部２６Ｄ２；連結部２６Ｄ３；左側端部２６Ｄ４；捩じりバネ２８；連結解除部材３０；捩じりバネ３１；オイルダンパー３２；シリンダー３２Ａ；ピストンロッド３２Ｂ；ピストン３２Ｃ；ネジ３３Ａ，３３Ｂ；内側板状部材３４；外側板状部材３６；第２の外側板状部材３８；ネジ４０；連結板４４
【図１】
2015121014.tif 000003
【図２】
2015121014.tif 000004
【図３】
2015121014.tif 000005
【図４】
2015121014.tif 000006
【図５】
2015121014.tif 000007
【図６】
2015121014.tif 000008
【図７】
2015121014.tif 000009
【図８】
2015121014.tif 000010
【図９】
2015121014.tif 000011
【図１０】
2015121014.tif 000012
【図１１】
2015121014.tif 000013
【図１２】
2015121014.tif 000014
【図１３】
2015121014.tif 000015
【図１４】
2015121014.tif 000016
【図１５】
2015121014.tif 000017
【図１６】
2015121014.tif 000018
【図１７】
2015121014.tif 000019